(57)【要約】  本発明の１つの態様によれば、無駄毛剃り器具（１２）用のハンドル（１０）は、尾部（１４）と、頭部（１８）と、首部（１６）とを含んでいる。尾部（１４）は、幅（Ａ）と厚さ（Ｄ）を含んでおり、ハンドル（１０）を側面から見たときの中心線（ＴＣＬ）を画定している。頭部（１８）は、剃刀カートリッジを支持するための平坦面（２６）と、ハンドルを側面から見たときの厚さと中心線を画定している。首部（１６）は、尾部（１４）と頭部（１８）を分け、角度（Ｂ１）、摘み（Ｇ）、及び拇印部厚さ（Ｅ）を画定している。【選択図】図４
2009500148.tif 000002
【特許請求の範囲】
【請求項１】
無駄毛剃り器具用のハンドルにおいて、
幅と厚さを有しており、前記ハンドルを側面から見たときの中心線を画定している尾部と、
剃刀カートリッジを支持するための平坦面と、前記ハンドルを側面から見たときの厚さと中心線を画定している頭部と、
前記尾部と前記頭部を分け、角度、摘み、及び拇印部厚さを画定している首部と、を備えており、
前記角度は、前記尾部の中心線と前記頭部の平坦面の間で測定され、前記角度は、４０から７４度であり、
前記尾部の前記厚さは、２８．５ｍｍから４４．５ｍｍであり、
前記尾部の前記幅は、１１．７ｍｍから２１．７ｍｍであり、
前記頭部の前記厚さは、３５．２ｍｍから４０．２ｍｍであり、
前記首部の前記拇印部厚さは、２１．５ｍｍから３１．５ｍｍであり、
前記首部の前記摘みは、２２．５ｍｍから３４．５ｍｍであり、
前記無駄毛剃り器具の長さは、前記頭部の端から前記尾部の端まで、前記頭部の前記中心線に実質的に平行な方向に測定して、７７．２ｍｍから１２０．０ｍｍである、ハンドル。
【請求項２】
前記角度は、約５４度である、請求項１に記載の無駄毛剃り器具。
【請求項３】
前記尾部の厚さは、約２１．６ｍｍである、請求項１に記載の無駄毛剃り器具。
【請求項４】
前記尾部の幅は、約３１．８ｍｍである、請求項１に記載の無駄毛剃り器具。
【請求項５】
前記頭部の厚さは、約３７．３ｍｍである、請求項１に記載の無駄毛剃り器具。
【請求項６】
前記首部の前記拇印部厚さは、約２８．７ｍｍである、請求項１に記載の無駄毛剃り器具。
【請求項７】
前記首部の前記摘みは、約３４．５ｍｍである、請求項１に記載の無駄毛剃り器具。
【請求項８】
前記無駄毛剃り器具の長さは、約１１０．０ｍｍである、請求項１に記載の無駄毛剃り器具。
【請求項９】
前記尾部の前面と後面は、滑り止めグリップを含んでいる、請求項１に記載の無駄毛剃り器具。
【請求項１０】
前記尾部の前面は、窪みを更に含んでいる、請求項９に記載の無駄毛剃り器具。
【請求項１１】
前記首部の前面と後面は、滑り止めグリップを含んでいる、請求項１に記載の無駄毛剃り器具。
【請求項１２】
前記首部の前記前面は、窪みを含んでいる、請求項１１に記載の無駄毛剃り器具。
【請求項１３】
前記首部の各側面は、滑り止めグリップを含んでいる、請求項１に記載の無駄毛剃り器具。
【請求項１４】
前記頭部の前面と後面は、滑り止めグリップを含んでいる、請求項１に記載の無駄毛剃り器具。
【請求項１５】
無駄毛剃り器具用のハンドルにおいて、
幅と厚さを有しており、前記ハンドルを側面から見たときの中心線を画定している尾部と、
前記ハンドルを側面から見たときの厚さと中心線を画定している頭部と、
前記尾部と前記頭部を分け、角度、摘み、及び拇印部厚さを画定している首部と、を備えており、
前記角度は、前記尾部の中心線と前記頭部の平面の間で測定され、前記角度は、１３００から１６４度であり、
前記尾部の前記厚さは、２８．５ｍｍから４４．５ｍｍであり、
前記尾部の前記幅は、１１．７ｍｍから２１．７ｍｍであり、
前記頭部の前記厚さは、３５．２ｍｍから４０．２ｍｍであり、
前記首部の前記拇印部厚さは、２１．５ｍｍから３１．５ｍｍであり、
前記首の前記摘みは、２２．５ｍｍから３４．５ｍｍであり、
前記無駄毛剃り器具の長さは、前記頭部の端から前記尾部の端まで、前記頭部の前記中心線に実質的に平行な方向に測定して、７７．２ｍｍから１２０．０ｍｍである、ハンドル。
【請求項１６】
無駄毛剃り器具用のハンドルにおいて、
幅と厚さを有しており、前記ハンドルを側面から見たときの中心線を画定している尾部と、
前記ハンドルを側面から見たときの厚さと中心線を画定している頭部と、
前記尾部と前記頭部を分け、角度、摘み、及び拇印部厚さを画定している首部と、を備えており、
前記角度は、前記尾部の中心線と前記ハンドルに取り付けられている剃刀カートリッジの剃り面との間で測定され、前記角度は、３０から６４度であり、
前記尾部の前記厚さは、２８．５ｍｍから４４．５ｍｍであり、
前記尾部の前記幅は、１１．７ｍｍから２１．７ｍｍであり、
前記頭部の前記厚さは、３５．２ｍｍから４０．２ｍｍであり、
前記首部の前記拇印部厚さは、２１．５ｍｍから３１．５ｍｍであり、
前記首の前記摘みは、２２．５ｍｍから３４．５ｍｍであり、
前記無駄毛剃り器具の長さは、前記頭部の端から前記尾部の端まで、前記頭部の前記中心線に実質的に平行な方向に測定して、７７．２ｍｍから１２０．０ｍｍである、ハンドル。
【発明の詳細な説明】
【技術分野】
【０００１】
本発明は、概括的には無駄毛剃り器具用のハンドルに、より具体的には、人間工学的に設計された無駄毛剃り器具用のハンドルに関する。
【背景技術】
【０００２】
本出願は２００５年７月１１日出願の米国仮特許出願第６０／６９８，１４３号の恩典を請求する。
【０００３】
無駄毛剃り器具用のハンドルは、通常、把握部、頭部、及び首部を含んでいる。大部分の先行技術による剃刀の頭部は、ハンドルの把握部から角度の付いた首部を通って伸張している。首部が曲がっている実際の角度は、限定するわけではないが、間の所望の角度を含む様々な要因によって決まる。
ハンドルの頭部は、頭部に接続可能な剃刀カートリッジの型式次第で、多くの形状寸法の何れであってもよい。例えば、剃刀カートリッジに接続されるハンドルもあれば、無駄毛剃り支援体に取り囲まれている剃刀カートリッジに接続されるハンドルもある。前者の例では、頭部は、剃刀カートリッジを中立位置に向かって付勢するように働くバネ荷重の掛かったプランジャを含んでいることが多い。後者の例では、頭部は、無駄毛剃り支援体が使用中に磨り減っても、無駄毛剃り支援体と剃刀カートリッジを同面に維持するように作用する自己平滑化機構を含んでいることが多い。或る例では、ユーザーは、無駄毛剃り器具を、少なくとも部分的には頭部によって保持又は支持するので、頭部の寸法形状もユーザーの快適性にとって重要である。
【０００４】
大部分の先行技術による剃刀のハンドルの尾部は、実質的に円筒形であり、直径が約７ｍｍから約２０ｍｍである。或る例では、先行技術によるハンドルの尾部は、実質的に平坦（即ち、長方形断面）に作られているか、又は、略楕円形の断面を有するように作られている。更に、把握部は、しばしば僅かに曲がっており、及び／又は、ハンドルを落し難くする把握構造を含んでいる。
【０００５】
しかしながら、ユーザーは、様々な身体の部分（例えば、脚、足首、腋下、顔、背中、胸、ビキニ領域など）を剃るときに、しばしば様々なグリップで（例えば、親指と他の指の先端の間、掌で、など）無駄毛剃り器具のハンドルを保持する傾向がある。市場に普及している棒状のハンドルは、或る身体の部分を容易且つ快適に剃るのに必要な様々なグリップで容易に保持されることに貢献していない。問題は、剃刀のハンドルが濡れ、及び／又は石鹸が付着し、従って滑り易くなったとき、並びに、ユーザーが、無駄毛剃り器具を適切に位置決めするために自身を伸ばし、及び／又はよじらなければならない様な剃り難い所（例えば、脚、足首の裏側）を剃っているときに深刻になる。
従って、様々な身体の部分を剃る際に容易に保持することができる無駄毛剃り器具用の人間工学的ハンドルを提供することによって、先行技術の欠点を克服することが、技術的に必要とされている。
【発明の開示】
【課題を解決するための手段】
【０００６】
本発明の１つの態様によれば、無駄毛剃り器具用のハンドルは、尾部、頭部、及び首部を含んでいる。尾部は、幅と厚さを含んでおり、ハンドルを側面から見たときの中心線を画定している。頭部は、剃刀カートリッジを支持するための平坦面と、ハンドルを側面から見たときの厚さと中心線を画定している。首部は、尾部と頭部を分け、角度、摘み、及び拇印部厚さを画定している。首の角度は、尾部の中心線と頭部の平坦面の間で測定され、４０から７４度である。尾部の厚さは、２８．５ｍｍから４４．５ｍｍである。尾部の幅は、１１．７ｍｍから２１．７ｍｍである。頭部の厚さは、３５．２ｍｍから４０．２ｍｍである。首部の拇印部厚さは、２１．５ｍｍから３１．５ｍｍである。首の摘みは、２２．５ｍｍから３４．５ｍｍである。無駄毛剃り器具の長さは、頭部の端から尾部の端まで、頭部の中心線と実質的に平行な方向に測定して、７７．２ｍｍから１２０．０ｍｍである。
【０００７】
本発明の１つの利点は、ユーザーが、様々なグリップを使って様々な身体の部分を快適に剃ることができるハンドルである。
【０００８】
本発明の上記及びその他の利点は、当業者には、以下の詳細な説明と図面から明白になるであろう。
【発明を実施するための最良の形態】
【０００９】
図１−３では、無駄毛剃り器具１２用のハンドル１０を、参照番号１０で示している。ハンドル１０は、尾部１４、首部１６、及び頭部１８を含んでいる。首部１６は、角度が付いており、尾部１４を頭部１８から分けている。下に表１に示している様に、ハンドル１０は、以下の７つの重要な可変寸法、即ち、尾部幅（Ａ）、首部の角度（Ｂ）、全長（Ｃ）、尾部厚さ（Ｄ）、拇印部厚さ（Ｅ）、頭部厚さ（Ｆ）、及び摘み（Ｇ）、を含んでいる。重要な各可変寸法を、図１−３に示している。
【００１０】
表１：重要な可変ハンドル造形の識別子
2009500148.tif 000003
【００１１】
図１、図３、図４に示すように、尾部１４は、幅（Ａ）と厚さ（Ｄ）を画定している。幅（Ａ）は、図３に示している様に、Ａ1で示されている距離の２倍になっている。厚さ（Ｄ）と幅（Ａ）は、尾部１４全体に沿って実質的に均一でもよいが、厚さ（Ｄ）と幅（Ａ）は、必要に応じて変化してもよい。例えば、図１と図３に示している様に、寸法（Ａ、Ｄ）の一方又は両方は、尾部１４の端部２０から首部１６に向かって僅かに増大してもよい。或る実施形態では、尾部１４の幅（Ａ）は、２８．５ｍｍから４４．５ｍｍであり、厚さ（Ｄ）は、１１．７ｍｍから２１．７ｍｍである。幅（Ａ）は、約３１．８ｍｍであり、厚さ（Ｄ）は約２１．６ｍｍであるのが望ましい。尾部１４は、更に、図２に示している様に、ハンドル１０を側面から見たとき、尾部１４の中央を通る中心線（ＴＣＬ）を画定している。以下に論じる様に、尾部１４の中心線（ＴＣＬ）は、首部の角度（Ｂ、Ｂ1、Ｂ2）を決める助けとするのに用いられる。尾部１４は、図４に示している実施形態の様な或る実施形態では、快適性のために丸みを帯びている。
【００１２】
頭部１８は、頭部厚さ（Ｆ）と頭部幅（符号を付けず）を画定している。頭部幅は、主に、ハンドルに取りつけられる剃刀カートリッジの幅次第であるが、通常の無駄毛剃りの際にユーザーが押しつける適した表面を提供できるだけの幅があるのが望ましい。しかしながら、通常は、何れの側でも頭部１８は滅多に握ることが無いので、幅は、重要な可変寸法として識別されなかった。或る実施形態では、頭部厚さ（Ｆ）は、３５．２ｍｍから４０．２ｍｍである。以下に論じる様に、研究は、３７．３ｍｍに近い頭部厚さ（Ｆ）が特に有用であることを示している。尾部１４と同様に、そして図４に示している様に、頭部１８は、通常、快適性のために丸みを帯びている。
【００１３】
頭部１８は、更に、剃刀カートリッジ２２、又は剃刀カートリッジ２２と無駄毛剃り支援体２４の組み合わせ（図２参照）を取り外し可能に接続させるための部材（図示せず）を含んでいてもよい。しかしながら、或る実施形態では、剃刀カートリッジ２２（又は剃刀カートリッジ２２と無駄毛剃り支援体２４の組み合わせ）は、頭部１８に、正常な使用時には両者が分離されないように、連結されている。図１−３に示す実施形態の様な或る例では、頭部１８は、剃刀カートリッジ２２が着座できる実質的に平坦な上面２６を提供している。
【００１４】
更に、図２に示すように、頭部１８は、ハンドル１０を側面から見たときに頭部１８の中央を通っている中心線（ＨＣＬ）を画定している。或る実施形態では、以下に論じる様に、中心線（ＨＣＬ）は、首部１６の角度（Ｂ1）を画定するのに用いられる。
図１と図２に示すように、首部１６には角度が付いており、頭部１８を尾部１４から分けている。首部１６は、更に、拇印部厚さ（Ｅ）と摘み（Ｇ）を含んでいる。図２に示している様に、角度（Ｂ、Ｂ1、Ｂ2）は、幾つかの方法で測定することができる。例えば、頭部１８が平坦な上面２６を含んでいる実施形態では、角度（Ｂ）は、尾部１４の中心線（ＴＣＬ）と、上面２６に平行な線（ＴＳＬ）の間の交点を使って測定される。この方法を使う場合、首部１６の角度（Ｂ）は、４０度から７４度であるのが望ましく、最も望ましい角度（Ｂ）は、約５７度である。
【００１５】
首部１６の角度（Ｂ1）を測定するのに適したもう１つの技法は、尾部１４の中心線（ＴＣＬ）と頭部１８の中心線（ＨＣＬ）の交点を使用する方法である。この方法を使う場合、首部１６の角度（Ｂ1）は、約１３０度から１６４度であるのが望ましい。尾部と頭部１４、１８の中心線（ＴＣＬ、ＨＣＬ）の交点を使う場合、首部１６の角度（Ｂ1）は、約１４７度であるのが最も望ましい。頭部１８の中心線（ＨＣＬ）は、頭部の上面２６に対して９０度であることが示されているが、本発明はそのように限定されていないことに注目することも重要である。
【００１６】
首部１６の角度（Ｂ2）を測定するための又別の技法は、図２にも示している様に、尾部１４の中心線（ＴＣＬ）と剃り面（ＳＰ）の交点を使用する方法である。本発明の目的に照らし、「剃り面」は、剃刀カートリッジ２２のガード部３０の最外側表面２８から剃刀カートリッジ３４のキャップ部の最外側表面３２まで接線方向に伸張する線を指す。上記方法を使う場合、首部の角度（Ｂ2）は、３０度から７４度であるのが望ましく、最も望ましい角度（Ｂ2）は、６４度である。剃り面（ＳＰ）は、頭部１８の上面２６から１０度（頭部１８の中心線（ＨＣＬ）からは８０度）回転しているように示されているが、本発明は、その様に拘束されると考えて頂きたくない。そうではなく、これらの相対位置は、ハンドル１０の最終的な設計に依って僅かに変化する。
【００１７】
拇印部厚さ（Ｅ）は、２１．５ｍｍから３１．５ｍｍであるのが望ましく、２８．７ｍｍであるのが最も望ましい。同様に、摘み（Ｇ）は、２２．５から３４．５であるのが望ましく、３４．５ｍｍであるのが最も望ましい。
図１では、無駄毛剃り器具の全長（Ｃ）は、頭部１８の中心線（ＨＣＬ）に平行な線に沿って尾部１４の端部２０から頭部１８の端部３６（例えば、上面２６）までの長さによって定義される。ハンドル１０の長さ（Ｃ）は、約７７．２ｍｍから約１２０．０ｍｍの間で変わり、好適な長さ（Ｃ）は１１０．０ｍｍである。
【００１８】
本発明のハンドル１０を設計する際の第１段階は、表１に挙げている重要な可変寸法を特定することであった。次に、重要な各可変寸法の範囲が定められた。重要な各可変寸法の範囲を定めるために、多くの方法の内の何れを使用してもよい。本発明の好適な実施形態を決定する様々な方法が用いられてきた。この例では、重要な各変数の境界は、様々な基準（例えば、試験剃りからのフィードバック、量販のための寸法要件など）を使って判断された。
【００１９】
最も好適な重要可変寸法セットを判定するために、ここでも、幾つかの技法を用いることができる。例えば、最もユーザーが好むものを判定するために、数百のモデルを作り、試験することもできる。しかしながら、予測ソフトウェアは、制限された量の既知のデータを使用してサンプル多くのハンドルを予測することによって、設計者が、試験ハンドルの数を著しく減らすことができるようにした。今度の場合、予測ソフトウェアは、以下に定められた範囲内にある１４個の異なるハンドルを提供した。１４個のサンプルが、以下に表２に提供されている。安定した結果が一貫することを保証するために、２つのサンプル（即ち、サンプル１と１０）が繰り返され、全部で１６個の試験サンプルについて行われたことに注目されたい。
【００２０】
表２：試験サンプルの重要な可変寸法
2009500148.tif 000004
【００２１】
次に、試験サンプルが製造され、ヒトによる剃り試験で試された。試験者は、各自、幾つかのサンプルを使用することが求められ、それぞれに対して、表３のアンケートを埋めた。質問は、試験者に、様々な身体の部分（例えば、脚、膝、足首、及び腋下）の無駄毛を剃るときに得られた自分たちの経験と印象に基づいて、試験ハンドルを評価するように頼んだ。
【００２２】
表３：試験者に課された質問
2009500148.tif 000005
【００２３】
試験者から受け取ったデータの結果は、表４に示す様に、編集され、平均が出された。
表４：無駄毛剃り試験からの平均した結果
2009500148.tif 000006
【００２４】
重複したサンプル、具体的にはサンプル１と１０は、結果の正確さを示しているようであり、灰色がかったサンプル（即ちサンプル１、１１、及び１４）が、最も良く似ていると思われる。従って、好適な実施形態は、表５に示すように、試験とコンピューターモデリングから得られた知識を使って、設計された。
表５：好適な実施形態の重要な寸法
2009500148.tif 000007
【００２５】
更に、図４−６に示すように、ハンドル１０は、重要な位置にある滑り止めグリップ３８と、窪み４０の様な別の造形を含んでおり、それらは、ユーザーが、使用中にハンドル１０上で適切なグリップを維持するのを助ける。具体的には、何らかの適した材料（例えば、弾性材料）で作られた滑り止めグリップ３８は、尾部１４の前面４２と後面４４、頭部１８の前面４６と後面４８、及び首部１６の前面５０、後面５２、各側面５４、５６に配置されている。窪み４０は、首部１６の前面５０と、尾部１４の前面４２に設けられている。造形３８、４０の両方の型式は、ユーザーが、最も一般的な方法でハンドルを把握するのを助ける。これらの方法は、親指を首部１６の前面に置き、他の指を頭部１８と首部１６の後面を横切って伸ばし、ハンドル１０を掌に配置することを含んでいる。代わりに、ユーザーは、首部１６の前面５０に親指を置き、通常は２本又は３本の指を頭部１８の後面４８に置いて、ハンドル１０を掌の外側に保持してもよい。最後に、ユーザーは、親指を尾部１４の前面４２に配置し、通常は、２本又は３本の指を尾部１４の後面４４に配置することによって、ハンドル１０の尾部１４を保持することもできる。勿論、上記方法は単なる代表例なので、ハンドル１０を保持するためのやり方はこの他にも沢山ある。
【００２６】
上記開示には、本発明の精神と範囲から逸脱すること無く修正及び変更を加えることができる。
【図面の簡単な説明】
【００２７】
【図１】本発明の無駄毛剃り器具用のハンドルの１つの実施形態の側面図であり、ハンドルの重要な可変寸法を示している。
【図２】図１の無駄毛剃り器具用のハンドルの側面図であり、ハンドルは、そこに取り付けられている無駄毛剃りカートリッジを含んでいる。
【図３】図１の無駄毛剃り器具用のハンドルの前面図であり、追加の重要な可変寸法を示している。
【図４】本発明の１つの実施形態の等角図である。
【図５】本発明の１つの実施形態の側面図である。
【図６】本発明の１つの実施形態の前面図である。
【図１】
2009500148.tif 000008
【図２】
2009500148.tif 000009
【図３】
2009500148.tif 000010
【図４】
2009500148.tif 000011
【図５】
2009500148.tif 000012
【図６】
2009500148.tif 000013
【国際調査報告】
2009500148.tif 000014
2009500148.tif 000015
2009500148.tif 000016